(57)【要約】【課題】植物が未成長であっても景観が良く、目隠しにもなる植栽フェンスを提供する。【解決手段】二重金網１０と板材２０からなり、二重金網１０は一対の金網１１が一定間隔を隔てて連結線材１４により一体化されてなり、連結線材１４は高さおよび横方向に一定間隔を隔てて配設されており、連結線材１４は厚さ方向に対して傾斜して配設されており、高さ方向に隣接する連結線材１４は互いに逆方向に傾斜して配設されており、板材２０が横方向に隣接する連結線材１４の間に挿入されている植栽フェンスＡである。植物が未成長であっても板塀として機能するため景観が良い。また、板材２０を木板とすると、植物が成長途中であっても、植物と木板がどちらも植物として統一感のある景観が得られる。さらに、植物が未成長であっても板材２０により目隠しとすることができる。【選択図】図１
2010136676.tif 000002
【特許請求の範囲】
【請求項１】
二重金網と板材からなる植栽フェンスであって、
前記二重金網は、一対の金網が一定間隔を隔てて一体化されてなり、
前記板材が、前記二重金網の一対の金網の間に挿入されている
ことを特徴とする植栽フェンス。
【請求項２】
前記二重金網は、一対の金網が一定間隔を隔てて連結線材により一体化されてなり、
前記連結線材は、高さ方向に一定間隔を隔てて配設されており、かつ、横方向に一定間隔を隔てて配設されており、
前記連結線材は、厚さ方向に対して傾斜して配設されており、
高さ方向に隣接する前記連結線材は、互いに逆方向に傾斜して配設されており、
前記板材が、横方向に隣接する前記連結線材の間に挿入されている
ことを特徴とする請求項１記載の植栽フェンス。
【請求項３】
前記板材が、植物活着性の板である
ことを特徴とする請求項１または２記載の植栽フェンス。
【発明の詳細な説明】
【技術分野】
【０００１】
本発明は、植栽フェンスに関する。さらに詳しくは、植物が未成長であっても景観が良く、目隠しにもなる植栽フェンスに関する。
【背景技術】
【０００２】
従来、市街地の緑化や景観の向上のため、あるいは目隠しのために、金網などのフェンスに植栽を施した植栽フェンスを用いることが多くある。
この植栽フェンスの従来技術の一例として特許文献１がある。図７に示すように、特許文献１の植栽フェンス１０２は、フェンス１０２の下部が曲折されて溝状の保持部１２２が設けられており、その保持部１２２に植物またはその種子と植栽基盤、肥料、保水材が一体化された緑化材１０３が保持されたものである。この緑化フェンス１０２の施工後、緑化材１０３から植物１３１が生長しフェンス１０２に絡まることによって植栽フェンス１０２が完成するのである。
【０００３】
しかるに、植物１３１が成長しフェンス１０２を覆うまでには長期間かかるため、それまでは植栽フェンスとしての機能を有せず、単なる金網が露出しているだけであるので景観が良くないという問題がある。
また、植物１３１が成長するまでは、目隠しとしての機能がないという問題がある。
【０００４】
【特許文献１】特開平８−４２２０１号
【発明の開示】
【発明が解決しようとする課題】
【０００５】
本発明は上記事情に鑑み、植物が未成長であっても景観が良く、目隠しにもなる植栽フェンスを提供することを目的とする。
【課題を解決するための手段】
【０００６】
第１発明の植栽フェンスは、二重金網と板材からなる植栽フェンスであって、前記二重金網は、一対の金網が一定間隔を隔てて一体化されてなり、前記板材が、前記二重金網の一対の金網の間に挿入されていることを特徴とする。
第２発明の植栽フェンスは、第１発明において、前記二重金網は、一対の金網が一定間隔を隔てて連結線材により一体化されてなり、前記連結線材は、高さ方向に一定間隔を隔てて配設されており、かつ、横方向に一定間隔を隔てて配設されており、前記連結線材は、厚さ方向に対して傾斜して配設されており、高さ方向に隣接する前記連結線材は、互いに逆方向に傾斜して配設されており、前記板材が、横方向に隣接する前記連結線材の間に挿入されていることを特徴とする。
第３発明の植栽フェンスは、第１または第２発明において、前記板材が、植物活着性の板であることを特徴とする。
【発明の効果】
【０００７】
第１発明によれば、植物が未成長であっても挿入された板材が板塀として機能するため景観が良い。また、板材を木板とすると、植物が成長途中であっても、植物と木板がどちらも植物として統一感のある景観が得られる。さらに、植物が未成長であっても板材により目隠しとすることができる。
第２発明によれば、板材は、横方向に隣接した連結線材で横方向に挟まれ、互いに逆方向に傾斜した連結線材で厚さ方向に挟まれているので、連結線材のみで板材を保持することができると共に、二重金網の厚さ方向中央位置に板材を配置することができる。また、板材と二重金網の表面および裏面の金網との間には空間が保たれるので、この空間を用いて表面、裏面ともに植栽を施すことができる。
第３発明によれば、板材に植物活着性があるので、特に蔓植物を植栽する場合に、二重金網のみならず、板材にも登攀させることができるのでより植栽がしやすくなる。
【発明を実施するための最良の形態】
【０００８】
つぎに、本発明の実施形態を図面に基づき説明する。
図１は本発明の一実施形態に係る植栽フェンスＡの部分拡大平面図である。図２は同植栽フェンスＡの部分拡大正面図である。図３は同植栽フェンスＡの部分拡大側面図である。図４は同植栽フェンスＡの平面図である。図５は同植栽フェンスＡの正面図である。図６は同植栽フェンスＡの側面図である。
【０００９】
図１に示すように、植栽フェンスＡは主に二重金網１０と板材２０からなる。
二重金網１０は、一対の金網１１を有し、その一対の金網１１は一定間隔を隔てて平行に配設されている。図２に示すように、金網１１は、縦線材１２と横線材１３が格子状に配設され、縦線材１２と横線材１３の各交差部分において溶接され形成されている。また、一対の金網１１同士は多数の連結線材１４が渡され溶接されることにより連結されている。連結線材１４は各横線材１３に溶接されており、高さ方向に一定間隔を隔てて一列に配設されている。さらに、この一列が横方向に一定間隔を隔てて複数列配設されている。図１に示すように、連結線材１４は、二重金網１０の厚さ方向に対して傾斜して一対の金網１１に渡されており、さらに、高さ方向に隣接する連結線材１４同士は、互いに逆方向に傾斜して配設されている。そのため平面視Ｘ字状となっている。連結線材１４は横方向に複数列配設されているので、一対の金網１１と連結線材１４とで平面視六角形の空間が形成されている。
【００１０】
前記板材２０は、その幅寸法が上記六角形の空間の幅寸法とほぼ同じ寸法となっており、この六角形の空間内に挿入されている。図４に示すように、板材２０は、二重金網１０の高さとほぼ同じ寸法の長方形の平板であり、本実施形態では六角形の空間内に一つおきに挿入されている。
【００１１】
図４および図５に示すように、本発明の植栽フェンスＡでは植栽されていないか、あるいは植物が未成長であっても挿入された板材２０が板塀として機能するため、単なる金網が露出する場合に比べて景観が良い。また、板材２０を木板とすると、植物が成長途中であっても植物と木板がどちらも植物として統一感のある景観が得られる。板材２０を木目調の木板とし二重金網１０に緑系もしくは茶系の塗装を施せば、植物の緑と相まって景観が良くなるのでより好適である。
さらに、植物が未成長であっても板材２０により目隠しとすることができる。本実施形態では板材２０を六角形の空間内に一つおきに挿入したが、これに限られず全てもしくは他のパターンで挿入してもよく、目隠しの効果と景観を考慮して選択すればよい。
【００１２】
図１に示すように、板材２０は、横方向に隣接した連結線材１４で横方向に挟まれ、かつ、平面視Ｘ字状に配設された連結線材１４で厚さ方向に挟まれているので、連結線材１４のみで板材２０を保持することができる。すなわち、板材２０の保持には他の金具などを一切必要としない。
また、板材２０は二重金網１０の表面および裏面の金網１１に密着することがなく、空間が保たれるので、この空間を用いて表面、裏面ともに植栽を施すことができる。横並びとなった板材２０の間も、連結線材１４により、あるいは間隔をあけて挿入することにより隙間ができるので、表面、裏面一体となった植栽を施すことが可能である。
【００１３】
なお、板材２０は植物活着性の板であると好ましい。板材２０の材質は特に限定はないが、木、樹脂、コンクリートなどが考えられる。樹脂板やコンクリート板とするときはその表面を荒れ肌にすれば、植物が絡みやすくなるので好適である。また、保水性のある板とすれば植物が活着しやすいので好ましい。板材２０を植物活着性の板とすれば、特に蔓植物を植栽する場合に、二重金網１０のみならず、板材２０にも登攀させることができるのでより植栽がしやすくなる。
【００１４】
また、図３に示すように、板材２０を側面視Ｌ字型の置き台３０の上に乗せて、互いをビス４０で締結してもよい。図５に示すように、置き台３０を横長とし、横並びとなった複数枚の板材２０を一つの置き台３０に締結してもよい。前述のとおり、板材２０は連結線材１４のみで保持することが可能であるが、置き台３０を設けることによって、二重金網１０の下方に空間があっても、板材２０が脱落することはない。また、板材２０が上方に抜け出る恐れもない。実際の施工において、板材２０と連結線材１４との間には遊びがあるのが通常であるが、板材２０を置き台３０に固定することによってがたつきをなくすことも可能である。なお、置き台３０は二重金網１０の下端に位置する連結線材１４，１４・・・の上に架設されている。
【００１５】
本実施形態において、金網１１を縦横の格子状の金網としたが、これに限られず、斜めに傾いた格子状としても良いし、その線材を、植物が絡みやすいように波型としたものでもよい。要するに、金網１１は植物が絡みやすいものであればよく、特に制限はない。
【図面の簡単な説明】
【００１６】
【図１】本発明の一実施形態に係る植栽フェンスＡの部分拡大平面図である。
【図２】同植栽フェンスＡの部分拡大正面図である。
【図３】同植栽フェンスＡの部分拡大側面図である。
【図４】同植栽フェンスＡの平面図である。
【図５】同植栽フェンスＡの正面図である。
【図６】同植栽フェンスＡの側面図である。
【図７】従来技術の植栽フェンスの外観図である。
【符号の説明】
【００１７】
Ａ      植栽フェンス
１０    二重金網
１１    金網
１２    縦線材
１３    横線材
１４    連結線材
２０    板材
３０    置き台
４０    ビス
【図１】
2010136676.tif 000003
【図２】
2010136676.tif 000004
【図３】
2010136676.tif 000005
【図４】
2010136676.tif 000006
【図５】
2010136676.tif 000007
【図６】
2010136676.tif 000008
【図７】
2010136676.tif 000009